【事件の表示】
　特願２００１−３９４１７０「通信システム」拒絶査定不服審判事件〔平成１４年　９月　６日出願公開、特開２００２−２５２７２１〕について、次のとおり審決する。
【結　論】
　本件審判の請求は、成り立たない。
【理　由】
１．手続の経緯・本願発明
　本願は、平成４年１０月８日に出願した特願平４−２９３９９４号の一部を平成１２年１２月４日に新たな特許出願とした特願２０００−３６９３１０号の一部をさらに平成１３年１２月２６日に新たな特許出願としたものであって、その請求項１に係る発明は、平成１７年１月４日付けの手続補正書により補正された明細書及び図面の記載からみて、特許請求の範囲の請求項１に記載されたとおりの次のものと認める。（以下、「本願発明」という。）
「電話網と、当該電話網に接続される電話端末装置と、前記電話網に接続されるコンピュータ装置とを備えた通信システムにおいて、
　前記電話端末装置に、
　前記電話網と接続する通信路とのインタフェースを行うインタフェース手段と、
　前記インタフェース手段に接続され、前記通信路を介して相手電話端末装置との間で音声通信系信号を送受信する音声通話手段と、
　ダイヤル入力及び前記コンピュータ装置に対して情報送出を要求するキー入力を行う入力手段と、
　前記電話網に対して前記入力手段から入力されたダイヤルにより接続要求情報を送出する電話接続要求手段と、
前記入力手段で入力した数字情報のモニタ表示及び前記コンピュータ装置から受信した情報の表示を行う、文字を含む画像情報が表示可能な表示手段と、
　前記電話網に対して前記コンピュータ装置との接続を要求するデータ接続要求手段と、
　前記インタフェース手段に接続され、前記通信路を介して前記コンピュータ装置との間でデータ通信系信号を送受信するデータ通信手段と、
前記コンピュータ装置との間でデータ通信状態の際に、前記入力手段のキー入力に応じたキー情報を当該コンピュータ装置に送出するキー情報送出手段と、
　前記データ通信手段が前記コンピュータ装置から受信した情報を画像情報として生成する画像生成手段と、
　前記画像生成手段によって生成された前記画像情報を前記表示手段に出力する表示制御手段と、を備え、
　前記コンピュータ装置に、
　前記電話網を介して前記電話端末装置と接続されると、当該電話端末装置とデータ通信し、当該電話端末装置から受信した前記キー情報に基づき、当該電話端末装置に対して前記情報を送出する情報送出手段を備えたことを特徴とする通信システム。」
　　
２．引用例
　これに対して、原査定の拒絶の理由に引用された特開昭６２−１２３８６４号公報（以下、「引用例」という。）には、次の事項が記載されている。
Ａ．「産業上の利用分野
　本発明は、キャプテン端末装置に関するもので、特に、画面情報の検索手段に関するものである。」（第１頁右欄第１１〜１３行）
Ｂ．「従来の技術
　昭和５９年１１月より日本電信電話株式会社がサービスを開始しているビデオテックス通信システムの詳細については日本電信電話公社発行の技術参考資料「ビデオテックス通信網サービスのインタフェース」に記載されているが、ここでは、そのなかで本発明に関連するところの通信の手順について、第２図の基本的な通信手順のフロー図とともに簡単に説明する。
　順に説明すると、
マル１（なお、引用例原文においては、マル１は丸数字の１で記載されている。以下同様。）　利用者が電話機をフックオフし、ＤＴ（第１ダイヤルトーン）を確認後、１６６（通信識別コード）をダイヤルすると電話網はビデオテックス通信呼であることを識別し、利用契約者か否かのチェックを行い、契約者であればＳＤＴ（第２ダイヤルトーン）を利用者端末に返す。
マル２　利用者はＳＤＴを確認後、接続しようとする情報センタ番号（５桁）をダイヤルする。
マル３　電話網は情報センタ番号を受信すると加入者識別番号（ＩＤ番号）及び情報センタ番号をＶＣＰ（ビデオテックス通信処理装置）に対して送出する。
マル４　ＶＣＰは加入者識別番号及び情報センタ番号が管理ファイル上に登録されているかのチェックを行う。登録されている場合は、該当情報センタへ通信開始通知（加入者識別番号及び情報センタ番号）を送出する。
マル５　ＶＣＰは該当情報センタから通信許可応答を受信する。これにより端末から情報センタまでの通信路が確立される。また通信料の登算開始もこの契機に行う。
　情報センタは画面情報として開始画面を送出する。
　・・・（中略）・・・
マル１０　該当情報センタから画面情報（開始画面）が送られてくる。
マル１１　画面検索の要求としてリクエスト信号（ＪＩＳ７単位符号準拠）を送出する。
マル１２　情報センタからリクエストに応じた画面情報が送られてくる。
マル１３　ビデオテックス端末から通信の終了を要求する「終了コード」を送出すると、ＶＣＰでは料金登算処理を終了する。
マル１４　ＶＣＰから料金登算結果を画像信号の中に含めた料金通知画面を送出する。また、情報センタへ通信の終了と料金情報を通知する。
マル１５　ＶＣＰからの切断指示により段階的にビデオテックス端末まで切断される。
　の手順で、利用者が接続しようとする情報センタに接続され、そして、その情報センタに蓄積された画面情報の中から利用者がリクエストした画面情報が受信され、さらに利用者が通信の終了を要求することにより、接続が切断される。
　さて、以上のような手順で情報センタに接続され、情報センタから送られてくる画面情報を受信して表示装置に表示するビデオテックス端末について、第３図のブロック図で簡単に説明する。
　図中、１は電話網に接続するための局線接続端子、２は電話機を接続するための電話接続端子、３は汎用のマイクロプロセッサ（ＣＰＵ）、６はディジタル信号をアナログ信号に、アナログ信号をディジタル信号に変復調するための変復調回路（モデム）、７はモデム６とＣＰＵ３を連絡するためのモデムインタフェース回路、９は画面検索要求等のリクエストをするためのキーパッド、１０はキーパッド９からの入力信号をＣＰＵ３に伝達するためのキーパッドインタフェース、１１はシステムクロック再生、アドレスデコード等のシステム制御をするためのシステム制御回路、１２は受信した画面情報を格納するための表示メモリ、１３はＣＰＵ３から表示メモリ１２へ書き込みと表示するための表示メモリ１２からの読み出しを制御する表示制御部、１４は表示メモリ１２から読み出された情報を表示する表示装置に合った信号（表示装置がカラーＣＲＴの場合は、赤，緑，青の各色信号）に合成処理するための表示処理部、１５（第３図を参照すると、引用例原文に「１６」とあるのは誤記と認められる。）は表示信号出力端子、２１はＤＴ，ＳＤＴ，ビデオテックス切替指示信号等の各種信号検出回路、２２は電話機でダイヤルするのと等化の信号を送出する送出回路、２３は電話機又は各種信号検出回路２１、送出回路２２又はモデム６の電話網への切断の制御をする網制御回路（ＮＣＵ）、２４は通信識別コードと情報センタ番号を記憶するための書き込み読み出し可能なメモリを示す。」（第１頁右欄第１４行〜第３頁左上欄第１４行）
Ｃ．「さて、第３図に示すブロック図のビデオテックス端末で、第２図に示すような通信の手順で画面情報を受信して表示する動作について説明すると、本装置の電源を投入することにより、まず、表示画面にメモリ２４に記憶されている情報センタの番号の一覧表が表示される。・・・（中略）・・・
　利用者は一覧表の中から接続したい情報センタ番号のアドレスをキーパッド９から入力する。すると、ＣＰＵ３を介してＮＣＵ２３は直ちに電話網が各種信号検出回路２１及び送出回路２２に接続されるような動作をし（第２図のオフフックに相当する。）、ＤＴが各種信号検出回路２１に供給される。すると各種信号検出回路２１でＤＴの受信を検出してＣＰＵ３にその旨の情報を伝える。すると、ＣＰＵ３はメモリ２４に記憶された通信識別コードを送出回路２２を介して電話網に送出する。次に、しばらくすると電話網からＳＤＴが送出されてくるが、これもＤＴの場合と同様にして各種信号検出回路２１で検出してＣＰＵ３にその旨の情報を伝えるとＣＰＵ３は情報センタ番号（この場合は２３４５６）を送出回路２２を介して電話網に送出する。・・・（中略）・・・そして、次にＶＣＰから送られてきた画面情報を受信し、モデム６でディジタル信号に変換してＣＰＵ３に出力する。
　ＣＰＵ３は受信した画面情報はキャプテン・プレゼンテーション・レベル・プロトコル・シンタックス（以下、ＣＡＰＴＡＩＮ　ＰＬＰＳと呼ぶ）で規定されたフォーマットでコーディングされて送られてくるので、受信したデータを処理、解釈して指定された表示メモリ１２のエリアにデータの書き込みをする。このようにして、ＶＣＰから送られてきた画面情報の表示メモリ１２への格納をする。
　一方、これと平行して、表示メモリ１２に格納された画面情報を表示信号として表示装置に出力するわけであるが、これは、システム制御回路１１で発生されたシステムクロックを基準として、表示制御部１３で表示メモリ１２からのデータ読み出し用アドレスを発生して、表示メモリ１２に格納された画面情報を順次読み出し、読み出した情報を表示処理部１４で表示装置に適した信号に合成処理をして出力端子１５から表示信号を出力する。
　次に、利用者が、別の画面情報を受信したい場合は、キーパッド９からリクエストを入力するとキーパッドインタフェース１０，ＣＰＵ３を介してモデム６でディジタル信号からアナログ信号に変換されて、ＶＣＰに送出され、ＶＣＰからリクエストされた画面情報が送られてくる。その画面情報の表示信号の出力にいたるビデオテックス端末の動作は前述と同様である。」（第３頁右上欄第３行〜第４頁左上欄第１７行）
　
　上記Ｂの記載及び第３図のブロック図中に示される「電話接続端子２」は、図示されない電話機を接続するためのものであり、当該電話機は、当然、通常の電話通信を行うものであって、網制御回路（ＮＣＵ）２３の切換により局線接続端子１から通信路を介して相手電話機との間で音声通信系信号を送受信する音声通話手段、及び電話網に対してダイヤルにより接続要求情報を送出する電話接続要求手段を備えるものと解される。
　また、上記Ｃの記載において、「まず、表示画面にメモリ２４に記憶されている情報センタの番号の一覧表が表示される。」とあり、第３図のブロック図には図示されない表示装置は、「番号」が表示される以上、情報センタから送られてくる情報が「文字を含む画像情報」であっても当然表示可能であるものと解される。
　次に、上記Ｃの記載において、「ＣＰＵ３」は、「情報センタ番号を送出回路２２を介して電話網に送出する」ものであり、かつ、「受信したデータを処理、解釈して指定された表示メモリ１２のエリアにデータの書き込みをする」ものであるから、「電話網に対して情報センタとの接続を要求し、かつ、変復調回路（モデム）６が情報センタから受信した情報を画像情報として生成する」ものであるということができる。
　そして、上記Ｃの記載において、「利用者が、別の画面情報を受信したい場合は、キーパッド９からリクエストを入力するとキーパッドインタフェース１０，ＣＰＵ３を介してモデム６でディジタル信号からアナログ信号に変換されて、ＶＣＰに送出され、ＶＣＰからリクエストされた画面情報が送られてくる。」とあり、引用例記載の「ビデオテックス端末」は、実質的に、「情報センタとの間でデータ通信状態の際に、キーパッド９のキー入力に応じたキー情報を当該情報センタに送出するキー情報送出手段」を備えているということができる。
　さらに、上記Ａ〜Ｃの記載において、「情報センタ」側の具体的構成は示されていないが、該「情報センタ」は、「電話網を介してビデオテックス端末と接続されると、当該ビデオテックス端末とデータ通信し、当該ビデオテックス端末から受信したキー情報に基づき、当該ビデオテックス端末に対して情報を送出する情報送出手段」を備えることは明らかである。
　
　よって、上記Ａ〜Ｃの記載及び第２，３図を参照すると、引用例には、次の発明が記載されているものと認められる。（以下、「引用例記載の発明」という。）
「電話網と、当該電話網に接続されるビデオテックス端末と、前記電話網に接続される情報センタとを備えた通信システムにおいて、
　前記ビデオテックス端末に、
　前記電話網と接続する通信路に対する接続・切換を行う網制御回路（ＮＣＵ）２３と、
　前記網制御回路（ＮＣＵ）２３に接続され、前記通信路を介して相手電話機との間で音声通信系信号を送受信する音声通話手段及び電話網に対してダイヤルにより接続要求情報を送出する電話接続要求手段を備える電話機が接続される電話接続端子２と、
　情報センタ番号のアドレスの入力及び前記情報センタに対して情報送出を要求するキー入力を行うキーパッド９と、
　前記情報センタから受信した情報の表示を行う、文字を含む画像情報が表示可能な表示装置が接続される表示信号出力端子１５と、
　前記網制御回路（ＮＣＵ）２３に接続され、前記通信路を介して前記情報センタとの間でデータ通信系信号を送受信する変復調回路（モデム）６と、
　前記電話網に対して前記情報センタとの接続を要求し、かつ、前記変復調回路（モデム）６が前記情報センタから受信した情報を画像情報として生成するマイクロプロセッサ（ＣＰＵ）３と、
　前記情報センタとの間でデータ通信状態の際に、前記キーパッド９のキー入力に応じたキー情報を当該情報センタに送出するキー情報送出手段と、
　生成された前記画像情報を前記表示信号出力端子１５に出力する表示処理部１４と、を備え、
　前記情報センタに、
　前記電話網を介して前記ビデオテックス端末と接続されると、当該ビデオテックス端末とデータ通信し、当該ビデオテックス端末から受信した前記キー情報に基づき、当該ビデオテックス端末に対して前記情報を送出する情報送出手段を備えた通信システム。」
　
 ３．対比
　本願発明と引用例記載の発明とを対比すると、まず、引用例記載の発明における「ビデオテックス端末」は、本願発明における「電話端末装置」に対応する構成であり、ともに「端末装置」と称することができる。
　次に、引用例記載の発明における「情報センタ」には、当然その構成要素として「コンピュータ装置」が含まれるものと解される。
　また、引用例記載の発明における「網制御回路（ＮＣＵ）２３」は、電話網と接続する通信路に対する接続・切換を行うものであり、本願発明における「電話網と接続する通信路とのインタフェースを行うインタフェース手段」に相当する構成であるということができる。
　そして、引用例記載の発明において「情報センタ番号のアドレスの入力を行うこと」は、本願発明において「ダイヤル入力を行うこと」に相当するから、引用例記載の発明における「情報センタ番号のアドレスの入力及び情報センタに対して情報送出を要求するキー入力を行うキーパッド９」は、本願発明における「ダイヤル入力及びコンピュータ装置に対して情報送出を要求するキー入力を行う入力手段」に相当する。
　さらに、引用例記載の発明における「変復調回路（モデム）６」、「表示処理部１４」は、それぞれ、本願発明における「データ通信手段」、「表示制御手段」に相当する。
　そして、引用例記載の発明における「マイクロプロセッサ（ＣＰＵ）３」は、実質的に、本願発明における「データ接続要求手段」及び「画像生成手段」の機能を奏する構成であるということができる。
　
　よって、本願発明と引用例記載の発明とは、ともに、
「電話網と、当該電話網に接続される端末装置と、前記電話網に接続されるコンピュータ装置とを備えた通信システムにおいて、
　前記端末装置に、
　前記電話網と接続する通信路とのインタフェースを行うインタフェース手段と、
　ダイヤル入力及び前記コンピュータ装置に対して情報送出を要求するキー入力を行う入力手段と、
　前記電話網に対して前記コンピュータ装置との接続を要求するデータ接続要求手段と、
　前記インタフェース手段に接続され、前記通信路を介して前記コンピュータ装置との間でデータ通信系信号を送受信するデータ通信手段と、
　前記コンピュータ装置との間でデータ通信状態の際に、前記入力手段のキー入力に応じたキー情報を当該コンピュータ装置に送出するキー情報送出手段と、
　前記データ通信手段が前記コンピュータ装置から受信した情報を画像情報として生成する画像生成手段と、
　前記画像生成手段によって生成された前記画像情報を表示手段に出力する表示制御手段と、を備え、
　前記コンピュータ装置に、
　前記電話網を介して前記端末装置と接続されると、当該端末装置とデータ通信し、当該端末装置から受信した前記キー情報に基づき、当該端末装置に対して前記情報を送出する情報送出手段を備えた通信システム。」
である点で一致し、次の点で相違する。
　相違点：「端末装置」が、本願発明においては、「インタフェース手段に接続され、通信路を介して相手電話端末装置との間で音声通信系信号を送受信する音声通話手段」、「前記電話網に対して前記入力手段から入力されたダイヤルにより接続要求情報を送出する電話接続要求手段」、及び「入力手段で入力した数字情報のモニタ表示及びコンピュータ装置から受信した情報の表示を行う、文字を含む画像情報が表示可能な表示手段」を備えた「電話端末装置」であるのに対し、引用例記載の発明においては、「音声通話手段」と「電話接続要求手段」を備える「電話機」及び「表示装置」が、それぞれ、「電話接続端子２」及び「表示信号出力端子１５」を介して外部に接続されるような「ビデオテックス端末」であり、また、本願発明における「表示手段」は、「入力手段で入力した数字情報のモニタ表示」を行うものであるのに対し、引用例記載の発明において外部に接続される「表示装置」は、そのようなモニタ表示を行うものかどうか明らかでない点。
　
４．当審の判断
　上記相違点について検討する。
　一般に、端末装置において、一つの装置に、「音声通話手段」と「電話接続要求手段」を備える「電話機」部分、「データ通信手段」、及び「表示手段」を一体的に組み込むようにすることは、例えば、特開平４−２６５０８６号公報や特開平２−２４６６８８号公報等に見られるように、周知の技術にすぎない。
　そして、上記周知の技術のように一体化した構成においては、音声通話とデータ通信を行うために共通に使用できる部分、例えば、接続する相手方にダイヤルするためのキーパッド等の入力手段として共通のものを使用するようにすることは、当然のことにすぎない。
　さらに、上記周知の技術として例示した特開平２−２４６６８８号公報の第３頁左下欄第３〜１５行に、「第２図において、発呼者がハンドセット５４を上げてテンキー５１により相手の電話番号を指定すると、・・・（中略）・・・発呼端末の表示部５０には第５図のＩに示す如く、発呼者の鈴木花子、相手の着呼者である山田一郎及びその電話番号が表示される。」と記載されているように、入力手段で入力した数字情報のモニタ表示を表示手段によって行うようにすることも、周知の技術にすぎない。
　よって、引用例記載の発明のような、「音声通話手段」と「電話接続要求手段」を備える「電話機」及び「表示装置」を端末装置に対して外付けにするようにした「ビデオテックス端末」を、「インタフェース手段に接続され、通信路を介して相手電話端末装置との間で音声通信系信号を送受信する音声通話手段」、「前記電話網に対して前記入力手段から入力されたダイヤルにより接続要求情報を送出する電話接続要求手段」、及び「入力手段で入力した数字情報のモニタ表示及びコンピュータ装置から受信した情報の表示を行う、文字を含む画像情報が表示可能な表示手段」を一体型のものとして備えるような「電話端末装置」とし、特に、「表示手段」については、「入力手段で入力した数字情報のモニタ表示」を行うようなものとすることは、上記周知の技術を参酌すれば、当業者が適宜に設計できる事項にすぎないものと認められる。
　そして、本願発明の構成によってもたらされる効果も、引用例記載の発明、及び上記周知の技術から当業者ならば容易に予測することができる程度のものであって、格別のものとはいえない。
　
５．むすび
　したがって、本願発明は、引用例記載の発明、及び上記周知の技術に基いて、当業者が容易に発明をすることができたものであるので、特許法第２９条第２項の規定により特許を受けることができない。
　よって、結論のとおり審決する。